(57)【要約】【課題】従来の自吸式ポンプは、モータカバーおよびブラケットの厚み、固定ネジの長さ、モータカバーの深さのばらつきによってはブラケットをモータカバーに固定した際、銅線の端面とブラケットの固定ネジ端部との間の空間距離が確保できなくなるという問題が発生し、電気的安全性を低下させる原因となっていた。そこで、電気的安全性に優れた自吸式ポンプを提供することを目的とする。【解決手段】モータカバー２の、ネジ部のバーリングを内側から外側へ突状に形成し、ブラケット３のネジ固定部の曲げを一重とし、かつモータカバー２のバーリングの外側をブラケット固定時のガイドとして、モータカバー２内へのブラケット固定ネジ９の侵入を防止し、銅線端面とブラケット固定ネジ端部の間の空間距離を確保した。【選択図】図１
2005180363.tif 000002
【特許請求の範囲】
【請求項１】
モータと、モータのシャフトに固定された羽根車と、前記羽根車を収容しポンプ室を形成するためのケーシングを備え、通水口を持つ仕切板およびパッキンを介して前記ケーシングに結合され、かつ内部に呼び水用タンクを形成するケーシングカバーよりなる自吸式ポンプであって、モータとケーシングを連結するブラケットを固定するモータカバーにおいて、ブラケット固定ネジのバーリングをモータカバーの内側から外側へ突状に形成したことを特徴とする自吸式ポンプ。
【発明の詳細な説明】
【技術分野】
【０００１】
本発明は、給湯暖房機器等に組み込まれて使用される自吸式ポンプに関するものである。
【背景技術】
【０００２】
一般に自吸式ポンプは、羽根車を収容するケーシングと、ケーシングの羽根車収容部内に水を充満させておくための呼び水用のケーシングカバーを有している。特に、ケーシングとケーシングカバーとが一体になった型のポンプとして、以下に述べるものが知られている。
【０００３】
図６は、従来の自吸式ポンプの断面図であって、モータ１には防錆された鉄板よりなるモータカバー２が取り付けられ、このモータカバー２には、防錆された鉄板よりなるブラケット３が取り付けられ、このブラケット３に、耐食性、耐錆性、軽量化するために樹脂成形品よりなり、かつブラケット３と反対側端が開口したケーシング４を取り付けている。このブラケット３には、所定の位置にモータカバー２との位置決め用の突起５とビス穴６が形成されている。モータカバー２は、ブラケット３に形成された突起５とビス穴６に対応するタップ穴７を有し、内部に銅線８を有している。又、モータカバー２とブラケット３は固定ネジ９により固定されている。
【０００４】
ケーシング４内には、モータ１と接続され、かつ鋼丸材を切削して作られたシャフト１０を挿入してあり、シャフト１０の先端にはネジを形成している。またケーシング４は、偶数枚の羽根１１と前面シュラウド１２を有する密閉式の羽根車１３を収容しているポンプ室１４と送水室１５を形成している。羽根車１３は耐食性、耐錆性、軽量化するために、溶着の相性のよい熱可塑性の樹脂成形品よりなっている。そして黄銅丸棒切削材または、黄銅のローレット材のネジ加工品をインサートし、このネジ加工品をシャフト１０のネジに螺合して羽根車１３をシャフト１０に結合している。さらに羽根車１３の筒状となっている回転部の外周部には、カーボンとバネおよびゴムパッキンよりなる回転側メカニカルシール１６を設けてあり、この回転側メカニカルシール１６をケーシング４のポンプ室１４のシャフト１０の貫通部に装着されたセラミックとゴムパッキンよりなる固定側メカニカルシール１７に摺動させて水漏れを防止するようにしている。
【０００５】
ケーシング４の開口側には、所定の位置に通水口を有する仕切板１８とパッキン１９を介在させてケーシングカバー２０の開口側を結合させている。仕切板１８は耐食性、耐錆性、軽量化するために、ＳＵＳ板のプレス品又は樹脂成形品で形成され、ケーシングカバー２０は内部に呼び水用タンク２１を形成し、また、吸込口２２、吐出口２３を持ち、耐食性、耐錆性、軽量化するために樹脂成形品で構成されている。
【０００６】
次に、上記のように構成された自吸式ポンプの動作を説明する。まず、あらかじめケーシングカバー２０内に呼び水を注入する。ケーシングカバー２０内に注入された水は、呼び水用タンク２１およびケーシング４内のポンプ室１４と送水室１５を充満する。まず、始動時ではモータ１の回転がシャフト１０により羽根車１３に伝達され、ケーシング４内のポンプ室１４に収容された羽根車１３が回転する。するとポンプ室１４内の水が羽根車１３によってかき回され、水中に空気が混入する。水と空気の混合水は、羽根車１３の外周に沿ってポンプ室１４、送水室１５から押し出され、ケーシングカバー２０の呼び水用タンク２１に流れ込み、水と一緒に押し出された空気のみが吐出口２３より外部へ流出する。そして、この状態が続くとケーシング４内のポンプ室１４の空気圧が徐々に低くなり、外部との圧力差によりケーシングカバー２０の吸込口２２から水が流入し、本格的な水
送出状態に入るとケーシングカバー２０の呼び水用タンク２１には水が充満し、あふれた水が吐出口２３より外部へ流出する。
【０００７】
このとき、羽根車１３の回転は水に遠心力を与え、前面シュラウド１２は羽根車１３内へ導水された水流の昇圧をする作用をする。また、ポンプ室１４および送水室１５は羽根車１３から流出した水流をケーシングカバー２０の呼び水用タンク２１へ吐出する作用を行う。また、ケーシングカバー２０においては、吸込口２２よりケーシング４のポンプ室１４への導水とケーシング４の送水室１５からケーシングカバー２０の呼び水用タンク２１への吐出および吐出口２３より外部への吐出する作用を行う。さらに、通水口を持つ仕切板１８は、羽根車１３の水流の昇圧作用を行う。
【特許文献１】特開平０１−２４０７９８号公報
【発明の開示】
【発明が解決しようとする課題】
【０００８】
しかしながら、上記のような構成の自吸式ポンプのブラケットとモータカバーにおいては、ブラケットおよびモータカバーの厚み、固定ネジの長さ、モータカバーの深さのばらつきによっては、ブラケットをモータカバーに固定した際、モータカバー内の銅線端面とブラケット固定ネジ端部の間の空間距離が確保できなくなるという問題が発生し、電気的安全性を低下させる原因となる。
【０００９】
本発明は以上の問題点を解決するものであり、電気的安全性に優れた自吸式ポンプを提供することを目的とする。
【課題を解決するための手段】
【００１０】
本発明の自吸式ポンプは、モータと、モータのシャフトに固定された羽根車と、前記羽根車を収容しポンプ室を形成するためのケーシングを備え、通水口を持つ仕切板およびパッキンを介して前記ケーシングに結合され、かつ、内部に呼び水用タンクを形成するケーシングカバーよりなる自吸式ポンプであって、モータとケーシングを連結するブラケットを固定するモータカバーにおいて、ブラケット固定ネジのバーリングをモータカバーの内側から外側へ突状に形成した。
【発明の効果】
【００１１】
本発明の自吸式ポンプは、モータカバーにブラケットを固定した場合、固定ネジの先端或いはネジの一部がモータカバー内へ侵入することがない為、銅線の端面とモータカバーの内側との空間距離を十分に確保でき、電気的安全性に優れた自吸式ポンプを実現することができる。
【発明を実施するための最良の形態】
【００１２】
図１は本発明の一実施の形態における自吸式ポンプの断面図、図２は本発明の一実施の形態における自吸式ポンプにおけるモータカバーの断面図、図３は本発明の一実施の形態における自吸式ポンプにおけるモータカバーの平面図、図４は本発明の一実施の形態における自吸式ポンプにおけるブラケットの平面図、図５は本発明の一実施の形態における自吸式ポンプにおけるブラケットの断面図である。なお、先に説明した従来例の自吸式ポンプと同一構成部材には同じ符号を付与し、その構成および動作の説明は省略する。
【００１３】
この自吸式ポンプの特徴は、モータカバーとブラケットにある。すなわち図１〜図５に示すように、モータカバー２とケーシング４を連結するブラケット３を固定するモータカバー２において、ブラケット固定ネジ９のバーリング２４をモータカバー２の内側から外側へ突状に複数個形成し、内側にタップ穴７を形成している。ブラケット３においては、モータカバー２のバーリング２４の外側をガイドとして、モータカバー２に固定する複数
個の固定穴２５を有している。
【００１４】
このように、自吸式ポンプにおけるモータカバーとブラケットの連結において、モータカバー内の銅線の端面とモータカバーの内側との空間距離が十分に確保でき、電気的安全性に関する品質の優れた自吸式ポンプの実現が可能となる。
【産業上の利用可能性】
【００１５】
本発明は、モータカバー内の銅線の端面とモータカバーの内側との空間距離が十分に確保でき、電気的安全性にすぐれ、特に給湯暖房機器等に組み込まれて使用される自吸式ポンプとして有用である。
【図面の簡単な説明】
【００１６】
【図１】本発明の一実施の形態における自吸式ポンプの断面図
【図２】本発明の一実施の形態における自吸式ポンプにおけるモータカバーの断面図
【図３】本発明の一実施の形態における自吸式ポンプにおけるモータカバーの平面図
【図４】本発明の一実施の形態における自吸式ポンプにおけるブラケットの平面図
【図５】本発明の一実施の形態における自吸式ポンプにおけるブラケットの断面図
【図６】従来の自吸式ポンプの断面図
【符号の説明】
【００１７】
１    モータ
２    モータカバー
３    ブラケット
４    ケーシング
５    突起
６    ビス穴
７    タップ穴
８    銅線
９    ブラケット固定ネジ
１０    シャフト
１３    羽根車
１４    ポンプ室
１５    送水室
１８    仕切板
１９    パッキン
２０    ケーシングカバー
２１    呼び水用タンク
２４    バーリング
２５    固定穴
【図１】
2005180363.tif 000003
【図２】
2005180363.tif 000004
【図３】
2005180363.tif 000005
【図４】
2005180363.tif 000006
【図５】
2005180363.tif 000007
【図６】
2005180363.tif 000008